Podtech/llm-jp-corpus-v4-ja_patent huggingface dataset:
(57)【要約】【課題】  ＡＣアダプタ−の出力コ−ドは、付け根の先が曲がり点となり繰り返されて断線するのでこれを防止して、安心、安全に使用できるようにする。【解決手段】  筒状のスポンジ（１）の上面に、指幅ほどの間隔をおいて孔（２、３）をあけ、この孔（２、３）を連結する切り口（４）を設け、下面に縁（５）を付けた長方形型の孔（６）をあける。この構造のスポンジに、付け根（８））の先のコ−ド（７）を逆Ｕ字状に曲げて上面に指先ほど突き出し、ＡＣアダプタ−（１１）に接着して使用する。コードに曲がりが生じると、突き出したコ−ドとスポンジが曲がりを押さえ、断線を防止する。【選択図】図４
2008098121.tif 000002
【特許請求の範囲】
【請求項１】
筒状のスポンジ（１）の上面に、孔（２、３）をあけ、この孔（２、３）を連結する切り口（４）を設け、下面に縁（５）を付けた長方形型の孔（６）をあけてなる断線防止スポンジ。
【発明の詳細な説明】
【発明の詳細な説明】
【技術分野】
【０００１】  本発明は、ＡＣアダプタ−に固定されているコ−ドの付け根と、その先のコ−ドを、スポンジを介して曲がりを押さえる断線防止スポンジである。
【背景技術】
【０００２】  従来、この種のＡＣアダプタ−のコ−ドは、本体に固定されているコ−ドの付け根を通して接続されている。
【発明が解決しようとする課題】
【０００３】  従来のＡＣアダプタ−のコ−ドは、本体に固定された硬質の付け根を通して接続されているので、柔軟なコ−ドは付け根の先端で鋭角に曲がりやすく、繰り返されて断線するようになり不安全であり、また、断線した場合、付け根側のコ−ドが短いので接続できない問題があった。
本発明は、以上  のような欠点をなくすためになされたものである。
【課題を解決するための手段】
【０００４】  筒状のスポンジ（１）の上面に、指幅ほどの間隔をおいて孔（２、３）をあけるとともに、この孔（２、３）を連結する切り口（４）を設け、下面に縁（５）を付けた長方形型孔（６）をあける。
本発明は、以上の構成よりなる断線防止スポンジである。
【発明を実施するための最良の形態】
【０００５】  発明の実施の形態についてず図面を参照して説明する。
図１〜図４において、筒状のスポンジ（１）の上面に、コ−ド（７）を通す孔（２、３）をあけ、この孔（２、３）の間に切り口（４）を設けて連結し、下面にコ−ド（７）とコ−ドの付け根（８）を通す縁（５）を付けた長方形型の孔（６）をあける。
本発明は、以上のような構造で、これを使用するときは、コ−ドのプラグ（９）を下面の孔（６）に通して、側面のコ−ド引き出し口（１０）より引き出して、コ−ドの付け根（８）の先のコ−ド（７）を逆Ｕ字状に曲げて、上面の切り口（４）に通して指先ほど突き出す。そして、この状態のスポンジ（１）の内側に、コ−ドの付け根（８）を納めて、下面の縁（５）をＡＣアダプタ−（１１）に付けて、接着剤で取り付ける。
【発明の効果】
【０００６】  本発明は、上述のとおり構成されているので、コ−ドに曲がりが生じた場合、スポンジの上面に逆Ｕ字状に曲げて突き出したコ−ドが反発し、また、スポンジの弾力性が曲げを押さえ、コ−ドの付け根の先端で繰り返し曲げられることがなくなり、断線を防止する。
【図面の簡単な説明】
【図１】  本発明の斜視図である。
【図２】  本発明の下面を示す斜視図である。
【図３】  本発明をＡＣアダプタ−に取り付ける状態を示す斜視図である。
【図４】  本発明の使用状態を示す斜視図である。
【符号の説明】
１  スポンジ
２、３  孔
４  切り口
５  縁
６  長方形型孔
７  コ−ド
８  付け根
９  プラグ
１０  コ−ド引き出し口
１１  ＡＣアダプタ−
【図１】
2008098121.tif 000003
【図２】
2008098121.tif 000004
【図３】
2008098121.tif 000005
【図４】
2008098121.tif 000006
(57)【要約】【課題】建物の窓ガラスに太陽電池を設置した場合の発電効率を向上する。【解決手段】建物の窓ガラス２の外側に外側からの光の一部を反射するミラーフィルム３を取り付けるとともに、ミラーフィルム３の外側に透明又は半透明なフィルム状太陽電池４を取り付け、この太陽電池４で発電された電力を取り出す。【選択図】図１
2008098540.tif 000002
【特許請求の範囲】
【請求項１】
建物の窓ガラスの外側に外側からの光の一部を反射するミラーフィルムを取り付けるとともに、ミラーフィルムの外側に透明又は半透明なフィルム状太陽電池あるいは孔明き太陽電池を取り付け、フィルム状太陽電池あるいは孔明き太陽電池で発電された電力を取り出すようにしたことを特徴とする発電装置。
【請求項２】
上記ミラーフィルムは、紫外線を通さないものであることを特徴とする請求項１記載の発電装置。
【発明の詳細な説明】
【技術分野】
【０００１】
この発明は、太陽電池を用いた発電装置に関するものである。
【背景技術】
【０００２】
従来、建物の窓に太陽電池を設けたものとしては特許文献１があり、これは窓に設けたブラインドの羽根板に太陽電池パネルを取り付けたものである。又、窓ガラスの外面に孔明き太陽電池を取り付けたものもある。
【特許文献１】特開平７−１４５６８７号公報
【発明の開示】
【発明が解決しようとする課題】
【０００３】
しかしながら、上記した従来のものにおいては、太陽電池は一方の側からの光を受けて発電するため、発電効率が低かった。
【０００４】
この発明は上記のような課題を解決するために成されたものであり、窓ガラスに太陽電池を設置した場合における発電効率を向上することができる発電装置を得ることを目的とする。
【課題を解決するための手段】
【０００５】
この発明の請求項１に係る発電装置は、建物の窓ガラスの外側に外側からの光の一部を反射するミラーフィルムを取り付けるとともに、ミラーフィルムの外側に透明又は半透明なフィルム状太陽電池あるいは孔明き太陽電池を取り付け、フィルム状太陽電池あるいは孔明き太陽電池で発電された電力を取り出すようにしたものである。
【０００６】
請求項２に係る発電装置は、ミラーフィルムが紫外線を通さないものであるものである。
【発明の効果】
【０００７】
以上のようにこの発明の請求項１によれば、建物の窓ガラスの外側に外側からの光の一部を反射するミラーフィルムを設けるとともに、ミラーフィルムの外側に透明又は半透明なフィルム状太陽電池あるいは孔明き太陽電池を設けており、フィルム状太陽電池あるいは孔明き太陽電池は外側からの光とミラーフィルムからの反射光とによって発電するため、発電効率が向上する。
【０００８】
請求項２によれば、ミラーフィルムを紫外線を通さないものとしたので、有害な紫外線の屋内浸入を防止することができる。
【発明を実施するための最良の形態】
【０００９】
以下、この発明を実施するための最良の形態を図面とともに説明する。図１はこの発明の実施最良形態による発電装置の縦断側面図を示し、１は建物の窓の外枠、２は外枠１にはめ込まれた窓ガラスであり、窓ガラス２の外側には外側からの光の一部を反射するミラーフィルム３が設けられる。ミラーフィルム３は光透過率が種々異なるものがあるが、何れにしても外側からの光の一部を反射する。又、ミラーフィルム３の外側には透明又は半透明なフィルム状太陽電池４を取り付ける。
【００１０】
上記構成において、太陽５からの光は透明又は半透明なフィルム状太陽電池４に注がれ、この光によって太陽電池４は発電する。又、太陽電池４を透過した光の一部はミラーフィルム３によって反射され、この反射光によっても太陽電池４は発電する。発電された直流電力は交直変換器６によって交流電力に変換された後、外部に取り出される。
【００１１】
上記した実施最良形態においては、フィルム状太陽電池４は外側からの太陽光とミラーフィルム３によって反射された反射光とを受けて発電するので、発電効率がよい。
【００１２】
なお、ミラーフィルム３を紫外線を通さないものにより形成すれば、人体に有害な紫外線の屋内浸入を防止することができる。又、フィルム状太陽電池４に代わって孔明き太陽電池を用いてもよく、この場合には太陽電池は外面側からの太陽光と孔を通ってミラーフィルム３により反射された光等を受けて発電する。
【図面の簡単な説明】
【００１３】
【図１】この発明の実施最良形態による発電装置の縦断側面図である。
【符号の説明】
【００１４】
１…外枠
２…窓ガラス
３…ミラーフィルム
４…フィルム状太陽電池
【図１】
2008098540.tif 000003
(57)【要約】【課題】  凹部に雨水や異物が溜まらないようにして正確に振動レベルや温度レベルを検出する。【解決手段】  スチームトラップ１の外表面に振動レベルや温度レベルを検出するセンサー２の検出部３が嵌まり合う複数個の凹部４，５，６を形成する。凹部４はスチームトラップ１の上部外表面に形成し、凹部５はスチームトラップ１の正面側の側部外表面に形成し、凹部６はスチームトラップ１の背面側の側部外表面に形成する。凹部４の奥壁４ａから正面側と背面側に斜め下方に向けて排出溝４ｂ，４ｃを開口させ、凹部５の奥壁５ａから鉛直下方に向けて排出溝５ｂを開口させ、凹部６の奥壁６ａから鉛直下方に向けて排出溝６ｂを開口させる。凹部４，５，６に流入した雨水や異物は排出溝４ｂ，４ｃ，５ｂ，６ｂを通して凹部４，５，６の外部に流下する。【選択図】      図１
2008070328.tif 000002
【特許請求の範囲】
【請求項１】
振動センサーや温度センサーの検出部を外表面に押し当てて、振動や温度のレベルを検出する被検出物において、被検出物の外表面に振動センサーや温度センサーの検出部が嵌まり合う凹部を形成し、凹部の奥壁から下方に向けて排出溝を開口させたことを特徴とする被検出物の構造。
【発明の詳細な説明】
【技術分野】
【０００１】
スチームトラップ等の弁や回転軸等の作動の良否は振動センサーや温度センサーで振動レベルや温度レベルを検出することにより確認することができる。本発明は、振動センサーや温度センサーを押し当てて作動の良否を確認すべき、スチームトラップ等の弁や回転軸等の被検出物の構造の改良に関する。
【背景技術】
【０００２】
振動センサーや温度センサーの検出部は円錐形状で先端に向かって断面積が減少し、被検出物に押し当てる先端部が被検出物の測定面に対して著しく小さな場合が多い。そのため、振動レベルや温度レベルを正確に検出することができない問題点があった。これは、検出部の被検出物への押し当て状態や位置が被検出物の取り付け状態や測定者によりまちまちであったり、測定中に検出部が被検出物に対して傾斜してしまったり被検出物を滑って移動してしまったりするためである。そこで、従来は、被検出物の外表面に振動センサーや温度センサーの検出部が嵌まり合う凹部を形成することにより、被検出物と検出部の押し当て状態や位置を被検出物の取り付け状態や測定者に関係なく一定とし、測定中に検出部が被検出物に対して傾斜したり被検出物を滑って移動したりしないようにしていた。
【０００３】
しかしながら、上記従来のものにおいては、凹部に雨水が溜まって錆が発生したりゴミ等の異物が溜まったりするために、検出部の押し当て状態の変化や傾斜や滑りを完全に防止できず改良の余地が残されていた。
【特許文献１】実開昭６３−１１８５２２号公報
【発明の開示】
【発明が解決しようとする課題】
【０００４】
解決しようとする課題は、凹部に雨水や異物が溜まらないようにして正確に振動レベルや温度レベルを検出できるようにすることである。
【課題を解決するための手段】
【０００５】
本発明は、振動センサーや温度センサーの検出部を外表面に押し当てて、振動や温度のレベルを検出する被検出物において、被検出物の外表面に振動センサーや温度センサーの検出部が嵌まり合う凹部を形成し、凹部の奥壁から下方に向けて排出溝を開口させたことを特徴とする被検出物の構造にある。
【発明の効果】
【０００６】
本発明は、凹部に流入した雨水や異物が排出溝を通して凹部の外部に流下し、凹部に雨水や異物が溜まらないので、検出部の押し当て状態の変化や傾斜や滑りを完全に防止でき、正確に振動レベルや温度レベルを検出できるという優れた効果を生じる。
【発明を実施するための最良の形態】
【０００７】
本発明の被検出物の構造は、被検出物の外表面に振動センサーや温度センサーの検出部が嵌まり合う凹部を形成し、凹部の奥壁から下方に向けて排出溝を開口させたものである。そのため、凹部に流入した雨水や異物が排出溝を通して凹部の外部に流下し、凹部に雨水や異物が溜まらない。そのため、検出部の押し当て状態の変化や傾斜や滑りを完全に防止でき、正確に振動レベルや温度レベルを検出できる。
【実施例１】
【０００８】
上記の技術的手段の具体例を示す実施例を説明する（図１と図２参照）。被検出物としてのスチームトラップ１の外表面に振動レベルや温度レベルを検出するセンサー２の検出部３が嵌まり合う複数個の凹部４，５，６を形成する。凹部４はスチームトラップ１の上部外表面に形成し、凹部５はスチームトラップ１の正面側の側部外表面に形成し、凹部６はスチームトラップ１の背面側の側部外表面に形成する。通常は凹部４にセンサー２の検出部３を嵌め合わせてスチームトラップ１の振動レベルや温度レベルを検出する。スチームトラップ１の上部が他の設備機械で塞がれている場合は、凹部５あるいは凹部６にセンサー２の検出部３を嵌め合わせてスチームトラップ１の振動レベルや温度レベルを検出する。凹部４の奥壁４ａから正面側と背面側に斜め下方に向けて排出溝４ｂ，４ｃを開口させ、凹部５の奥壁５ａから鉛直下方に向けて排出溝５ｂを開口させ、凹部６の奥壁６ａから鉛直下方に向けて排出溝６ｂを開口させる。
【０００９】
スチームトラップ１の外表面に形成された凹部４あるいは凹部５あるいは凹部６にセンサー２の検出部３を嵌め合わせて振動レベルや温度レベルを検出する。凹部４は奥壁４ａから正面側と背面側に斜め下方に向けて排出溝４ｂ，４ｃが開口し、凹部５は奥壁５ａから鉛直下方に向けて排出溝５ｂが開口し、凹部６は奥壁６ａから鉛直下方に向けて排出溝６ｂが開口しているので、凹部４に流入した雨水や異物は排出溝４ｂ，４ｃを通して凹部４の外部に流下し、凹部５に流入した雨水や異物は排出溝５ｂを通して凹部５の外部に流下し、凹部６に流入した雨水や異物は排出溝６ｂを通して凹部６の外部に流下する。そのため、検出部３の押し当て状態の変化や傾斜や滑りを完全に防止でき、正確に振動レベルや温度レベルを検出できる。
【図面の簡単な説明】
【００１０】
【図１】本発明の被検出物の構造としてのスチームトラップにセンサーの検出部を嵌め合わせた正面図。
【図２】図１のＡ−Ａ断面図。
【符号の説明】
【００１１】
１  スチームトラップ
２  センサー
３  検出部
４，５，６  凹部
４ａ，５ａ，６ａ  奥壁
４ｂ，４ｃ，５ｂ，６ｂ  排出溝
【図１】
2008070328.tif 000003
【図２】
2008070328.tif 000004
(57)【要約】【課題】可視光線や紫外線、熱赤外線などの光線を利用した合成開口レーダー計測を行う観測処理装置を提供することである。【解決手段】可視光線や紫外線、熱赤外線などの光線をチャープさせるために、連続変化しているフィルターを回転や振動させ、合成開口技術であるチャープ処理し、光線を利用した合成開口レーダー計測を行うことが可能となる。【選択図】図１
2008070344.tif 000002
【特許請求の範囲】
【請求項１】
可視光線や紫外線、熱赤外線などの光線をチャープさせるために、連続変化しているフィルターを回転や振動させ合成開口技術であるチャープ処理をする手段とを備えた観測処理装置。
【請求項２】
請求項１記載の観測処理装置において、出力された光線を連続変化するフィルターに対してレンズや反射鏡などで集光させ、連続変化するフィルターを回転または振動によってチャープさせる手段と、偏光フィルター部によって光線の任意方向成分を生成させる手段と、チャープされた光線を凹レンズなどで広がり具合を調整させる手段と、観測面に光線を照射し反射された光線を受光するセンサーとを備えた観測処理装置。
【発明の詳細な説明】
【技術分野】
【０００１】  本発明は、光線を利用し連続変化するフィルターによってチャープ処理を施す合成開口レーダー手法の技術に関する。
【背景技術】
【０００２】  従来、合成開口レーダーは電波を利用しレーダ計測の処理をしている。例えば以下のようなものがある。【０００３】  合成開口レーダーの処理として、電波をチャープさせるために、電気的に電波の特性を変化させて、チャープ処理をしている。その電波をアンテナで受信し、画像生成をしている。【０００４】  また、チャープさせた電波を受信して、画像化するために、ハード的にチャープの変換処理をして画像化生成する手法もある。【０００５】  さらに、受信したデータをソフトウェア的にチャープの変換処理をして画像生成する手法もある。
【発明の開示】
【発明が解決しようとする課題】
【０００６】  従来の技術においては、電気的にチャープの特性処理を施すために、主に電波に使用されていた。合成開口レーダー技術の理論上は電波に限らない処理になっており、従来の手法によると他の周波数領域においては合成開口技術の処理を複雑化し、実現するのが困難であった。【０００７】  本発明の課題は、上述問題点に対して、他の周波数領域である、可視光線や、紫外線、熱赤外線などにおいてもチャープ処理を施し、合成開口技術が実現できる観測処理装置、処理方法、およびプログラムを実現することである。
【課題を解決するための手段】
【０００８】  上述の課題を解決するために、以下のような構成や特徴を本発明は備えている。発明の構成や特徴は構成部分に対して以下に示す説明において図面の符号などを併用して説明を示す。【０００９】  請求項１記述の発明において、可視光線や紫外線、熱赤外線などの光線をチャープさせるために、連続変化しているフィルターを用いることにより合成開口技術であるチャープ処理を実現している。【００１０】  ならびに、請求項２の観測処理装置の処理方法において、請求項１記載の発明を用いると、出力された光線はフィルターを通してチャープされるが、フィルターを通す際に、レンズや反射鏡などを用いて、連続変化するフィルターに光線を集中させ透過させる。その後フィルターを透過してきた光線を偏光フィルターによって任意方向成分を出力させ、凹レンズなどを使用して、光線の広がり具合を調整する。観測面から反射された光線を偏光フィルターによって任意方向成分を取得し受光部にて計測する。【００１１】  また、請求項１の連続変化するフィルターは、使用目的にあわせて、連続変化するフィルターのチャープ率を変化させることが可能になる。
【本発明の効果】
【００１２】  本発明によると、光線を、レンズや反射鏡などを用いて、連続変化するフィルターに光線を集中させ透過させる。その後フィルターを透過してきた光線を偏光フィルターによって任意方向成分を出力させ、凹レンズなどを使用し光線の広がり具合を調整する。観測面から反射された光線を偏光フィルターによって任意方向成分を取得し受光部にて計測する。その手法により、光線を用いた合成開口レーダー計測技術が実現できる。
【発明を実施するための最良の形態】
【００１３】  実施するための形態を以下に図面を参照しながら説明を記述する。【００１４】  図１は観測処理装置の構成を示す概念図である。観測処理装置は光線（可視光線や紫外線、熱赤外線など）を出力する部分２、レンズや反射鏡などで光線を集光させる部分３、連続変化するフィルターによって光線をチャープさせる部分４、透過した光線を凹レンズなどで光線の広がり具合を調整する部分５、偏光フィルター部６、反射した光線を受光するセンサー部７によって構成されている。【００１５】  集光部３は、光線を集光させることによって、連続変化するフィルターに対して、点で透過させることができる。そのため、光線をフィルターでチャープさせる精度を向上させることが可能になる。【００１６】  連続変化フィルター部４は、使用する目的によって、連続変化するフィルターの周波数幅を変更することが可能となる。【００１７】  連続変化フィルター部４は、フィルターを回転または振動させ、光線をチャープ変化させる量を調節することが可能となる。【００１８】  光線のビーム幅調整部５は、チャープ変化させられた光線の広がり具合を調節することが可能になる。【００１９】  上で述べたように実施形態において、集光レンズ部３は、出力された光線をフィルターに対して集光させ、連続変化フィルター部４は、集光された光線をチャープ変化させる。偏光フィルター部６によって任意方向成分を出力させ、光線のビーム幅調整部５によって、チャープ変化された光線の広がり具合を調整し、その光線を観測面に照射させ反射された光線を偏光フィルター部６によって、反射光の任意方向成分をフォトダイオードなどのセンサー部７で受光する。そのことにより合成開口技術を用いて画像化させることを実現する。
【実施例】
【００２０】  出力された光線（可視光線、紫外線、熱赤外等）を連続変化するフィルターを用いてチャープさせ、観測面に照射し、反射された光線を受光し、合成開口技術により、任意の画像を生成することが実現できる。
【産業上の利用可能性】
【００２１】  本発明による観測処理装置、及び処理方法は、リモートセンシング観測処理の光線を使用した合成開口レーダ計測の良い一例として挙げられる。またＣＤやＤＶＤなどのピックアップ部に対して適している。
【図面の簡単な説明】
【００２２】
【図１】本発明に対しての観測処理装置の構成である概念図である。
【図２】透過波長域が連続変化するフィルターの概念図
【符号の説明】
【００２３】１  観測処理装置
２  光線部
３  集光部
４  回転または振動する連続変化フィルター部
５  光線のビーム幅調整部
６  偏光フィルター部
７  センサー部
【図１】
2008070344.tif 000003
【図２】
2008070344.tif 000004
(57)【要約】【課題】複数本の線香花火を同時に楽しむことができるようにした玩具花火を提供する。【解決手段】それぞれ火薬を和紙３に縒り込むことにより火薬部５と紙縒部７とを形成してなる複数本の線香花火１、１・・・を紙縒部にて保持体９により保持させ、各線香花火の火薬部の先端５ａを導火手段１１により相互に連結したことを特徴とする玩具花火。前記導火手段は紙、より好ましくは和紙、更に好ましくは楮により形成された和紙である。前記導火手段は好ましくは酸化剤を有する。【選択図】図１
2008070043.tif 000002
【特許請求の範囲】
【請求項１】
それぞれ火薬を和紙に縒り込むことにより火薬部と紙縒部とを形成してなる複数本の線香花火を紙縒部にて保持体により保持させ、各線香花火の火薬部の先端を導火手段により相互に連結したことを特徴とする玩具花火。
【請求項２】
前記導火手段は紙であることを特徴とする請求項１に記載の玩具花火。
【請求項３】
前記導火手段は和紙であることを特徴とする請求項１に記載の玩具花火。
【請求項４】
前記導火手段は楮により形成された和紙であることを特徴とする請求項１に記載の玩具花火。
【請求項５】
前記導火手段は酸化剤を有することを特徴とする請求項２〜４のいずれかに記載の玩具花火。
【発明の詳細な説明】
【技術分野】
【０００１】
本発明は、玩具花火に関するものであり、更に詳しくは、複数本の線香花火を同時に楽しむことができるようにした玩具花火に係るものである。
【背景技術】
【０００２】
線香花火としては、火薬を和紙に縒り込むことにより火薬部と紙縒部とを形成してなるものが古くから知られている。
【０００３】
特開２００５−１８８８０２号公報は、火薬部と紙縒部とよりなり、該火薬部は線香火薬と伝火薬と色火薬との三つの火薬層を有することを特徴とする線香花火を開示している。
【特許文献１】特開２００５−１８８８０２号公報
【発明の開示】
【発明が解決しようとする課題】
【０００４】
線香花火は、着火後、火薬が激しく燃焼し、続いて火球が形成され、該火球から松葉状の火花が飛散する極めて面白い花火である。
【０００５】
線香花火は、火球と該火球から飛散する松葉状の火花とを楽しむものであるため、従来より一本ずつ手に持って使用されているのであるが、本発明は、複数本の線香花火を同時に楽しむことができるようにした玩具花火を提供するものである。
【課題を解決するための手段】
【０００６】
上記課題を解決するために、本発明は下記の線香花火を提供する。
【０００７】
（１）それぞれ火薬を和紙に縒り込むことにより火薬部と紙縒部とを形成してなる複数本の線香花火を紙縒部にて保持体により保持させ、各線香花火の火薬部の先端を導火手段により相互に連結したことを特徴とする玩具花火（請求項１）。
【０００８】
（２）前記導火手段は紙である（請求項２）。
【０００９】
（３）前記導火手段は和紙である（請求項３）。
【００１０】
（４）前記導火手段は楮により形成された和紙である（請求項４）。
【００１１】
（５）前記導火手段は酸化剤を有する（請求項５）。
【発明の効果】
【００１２】
［請求項１の発明］
導火手段に点火すると、火は順次、各線香花火の火薬部に移り、各線香花火の火薬部が燃焼し、続いて火球を形成し、該火球から松葉状の火花が飛散する。即ち、請求項１の発明によれば、複数本の線香花火における火球と該火球から飛散する松葉状の火花とを同時に楽しむことができるという従来の線香花火では得られない面白みが発揮される。
【００１３】
［請求項２の発明］
導火手段は紙により形成されているため、導火手段の紙の繊維が各線香花火の和紙の繊維と共に巻き上げられて火球が好ましく形成される。
【００１４】
［請求項３の発明］
導火手段は和紙により形成されているため、導火手段の和紙の繊維が各線香花火の和紙の繊維と共に一体的に巻き上げられて火球がより好ましく形成される。
【００１５】
［請求項４の発明］
導火手段は楮により形成された和紙であるため、導火手段の和紙の繊維が各線香花火の和紙の繊維と共に一体的に巻き上げられてより大きな火球が好ましく形成される。
【００１６】
［請求項５の発明］
導火手段たる紙ないし和紙は酸化剤を有するため、導火手段がより速く燃えると共に線香花火の火薬部に対する火の移りが速くなる。
【発明を実施するための最良の形態】
【００１７】
符号１に示すものは線香花火である。
【００１８】
線香花火１は、従来の線香花火と同様に、火薬を和紙３に縒り込むことにより火薬部５と紙縒部７とを形成してなるものである。
【００１９】
線香花火１の火薬は、種々考えられるが、一例として、硝酸カリウム５５重量％と、硫黄３０重量％と、油煙５重量％と、麻炭６重量％と、アントラセン４重量％とよりなる。
【００２０】
和紙３は、繊維の方向が不規則であって破れ難く丈夫で薄いものが好ましく使用される。
【００２１】
和紙３は楮により形成したものが最も好ましく使用される。
【００２２】
しかして、本発明においては、複数本の線香花火１、１・・・を紙縒部７にて保持体９により保持させ、各線香花火１の火薬部５の先端５ａを導火手段１１により相互に連結する。
【００２３】
保持体９は、一例として、厚紙を二重に折り重ね、複数本の線香花火１、１・・・における紙縒部７を挿通させて支持するようにしたものとするが、保持体９はこのものに限定されるものではなく、紐等により形成しても差し支えない。
【００２４】
導火手段１１は、好ましくは、紙により形成される。
【００２５】
導火手段１１は、より好ましくは、線香花火１に用いられている和紙３と同様の和紙により形成される。
【００２６】
導火手段１１は、更に好ましくは、線香花火１に用いられている和紙３と同様に楮により形成された和紙である。
【００２７】
導火手段１１を形成する和紙等の紙は酸化剤を有する。
【００２８】
即ち、導火手段１１を形成する和紙等の紙には、例えば硝酸カリウム等の酸化剤を塗着し又は含浸させる。
【００２９】
なお、符号１３に示すものは点火手段としてのロウソクである。
【図面の簡単な説明】
【００３０】
【図１】本発明による玩具花火の一例を示す斜視図である。
【図２】同上玩具花火の断面図である。
【符号の説明】
【００３１】
１  線香花火
３  和紙
５  火薬部
５ａ  先端
７  紙縒部
９  保持体
１１  導火手段
１３  ロウソク
【図１】
2008070043.tif 000003
【図２】
2008070043.tif 000004
(57)【要約】      （修正有）【課題】塩化シアンは、作業環境における空気中の化学物質の許容濃度（TLV）が0.3 ppmに規制された有毒物質で、その濃度が厳しく規制されている。取扱いが容易で、モニタリングに適した塩化シアン検知材を提供する。【解決手段】ガス吸着剤を含有させた通気性担体に、塩化シアンと反応して呈色反応する試薬を含浸させてなる塩化シアン検知材を提供する。本検知材は、環境中に放置するだけで塩化シアンと反応して塩化シアンの濃度に対応した色変化を生じるため、試料採取などの作業を必要とすることなく、濃度を監視することができる。また、グリセリンなどの吸湿剤を含有しないため、環境中の雑ガス、または担体がセルロースで構成されている場合にはセルロースと試薬との反応を可及的に防止でき、検出感度に変化をきたすことなく長期間の保存ができる。【選択図】なし【特許請求の範囲】
【請求項１】
ガス吸着剤を含有させた通気性担体に、塩化シアンと反応して呈色反応する試薬を含浸させてなる塩化シアン検知材。
【請求項２】
前記試薬として１平方メートル当たり担体に４−ベンジルピリジン４．０〜１３グラム、バルビツール酸０．１３〜２．６グラム含浸されている請求項１に記載の塩化シアン検知材。
【発明の詳細な説明】
【技術分野】
【０００１】
本発明は、塩化シアンを呈色反応により検出する検知材に関する。
【背景技術】
【０００２】
塩化シアンは、作業環境における空気中の化学物質の許容濃度（TLV）が0.3 ppmに規制された有毒物質で、その濃度が厳しく規制されている。
その濃度管理には通常、ガスクロマトグラフなどの分析装置が使用されているが、バッチ処理のため、環境中での濃度を常時監視するためには適当な検出手段とは言いがたく、また取扱いには熟練を要するなどの問題がある。
【発明の開示】
【発明が解決しようとする課題】
【０００３】
本発明はこのような事情に鑑みてなされたものであって、その目的とするところは取扱いが容易で、モニタリングに適した塩化シアン検知材を提供することである。
【課題を解決するための手段】
【０００４】
このような課題を達成するために本発明の検知材は、ガス吸着剤を含有させた通気性担体に、塩化シアンと反応して呈色反応する試薬を含浸させて構成されている。
【発明の効果】
【０００５】
環境中に放置するだけで塩化シアンと反応して塩化シアンの濃度に対応した色変化を生じるため、試料採取などの作業を必要とすることなく、濃度を監視することができる。
また、グリセリンなどの吸湿剤を含有しないため、環境中の雑ガス、または担体がセルロースで構成されている場合にはセルロースと試薬との反応を可及的に防止でき、検出感度に変化をきたすことなく長期間の保存ができる。
【発明を実施するための最良の形態】
【０００６】
そこで、以下に本発明の詳細を実施例に基づいて説明する。試薬を担持する担体は、この実施例では植物繊維を梳いて通気性を有するシ−ト体が用いられ、この好ましくはケイ酸（H2SiO3）、酸化マグネシウム（MgO）、酸化アルミニウム（Al2O3）等のガス吸着材を含有させて構成されている。
【０００７】
この担体に、塩化シアンと反応して発色する試薬、例えば担体１平方米当り４−ベンジルピリジン４．０〜１３グラム、バルビツール酸０．１３〜２．６グラム程度含浸担持させる。
【０００８】
試薬を担体に担持させる手法としては、メタノ−ルなどの有機溶媒に、４−ベンジルピリジン３〜１０W/V％、バルビツール酸０．１〜２．０W/V％を溶解させてなる調製液に、上述した担体を所定時間浸漬して含浸させる。
【０００９】
ついでテ−プを調製液から担体を引上げ、有機溶媒を室温で蒸発させることにより４−ベンジルピリジンとバルビツール酸だけを担体に残留させる。
【００１０】
図１は、上述のように構成された担体をテープ状に裁断して検出テ−プとして構成したものを用いて塩化シアンの濃度を測定するための装置の一例を示すものであって、図中符号１は、テ−プ２の搬送経路に対向させて配置されたガス吸引部で、テ−プ２に対向する面には直径１センチメ−トル程度の通孔３が穿設されており、パイプ４を介して吸引ポンプ５からの陰圧が作用するように構成されている。
【００１１】
図中符号６は、ガス吸引部１の通孔３に対向するテ−プ２の他面側に配置された測定ヘッド部で、吸引部１の通孔３と対向する位置に通孔７が形成された遮光容器として構成されており、内部に発光素子８と受光素子９を、テ−プ２上に形成された反応痕を検出できるような関係でもって配置収容し、さらに一端に被検ガスの導入口１０を設けて構成されている。
【００１２】
検出テ−プをリ−ル１１、１２にテ−プをセットし、吸引部１に吸引ポンプ５からの吸引圧を作用させると、導入口１０から測定ヘッド部６に塩化シアンを含む空気が吸込まれる。この空気は、通孔７から検出用テ−プ２の細孔、つまり繊維の隙間を通過して通孔３に排出される。被検ガスが検出用テ−プ２を通過する過程でテ−プ２上の４−ベンジルピリジンとバルビツール酸が塩化シアンに反応し、塩化シアンの濃度に比例した光学濃度の反応コンが生じる。
【００１３】
このようにして所定のサンプリング時間、例えば６０秒程度が経過した時点で、吸引を停止して反応痕の光学的濃度の測定工程に移る。発光素子８からの光は、テ−プ表面に形成された反応痕の光学的濃度に応じて吸収を受けるので、測定開始前の光学的濃度、つまりテ−プのバックグランドとの光学的な濃度差を求めることによりテ−プ２を通過した塩化シアンの濃度、もしくは積算量を知ることができる。
【００１４】
一方、上記測定によっても目的ガスが検出されない場合には再度、サンプリングを開始して上述と同様の工程を繰り返す。
【００１５】
このようにして目的ガスが検出されることなく検出用テープの同一箇所での積算のサンプリング時間が所定時間を越えた時点で紙送り機構１３を駆動してリ−ル１１に収容されている検出用テ−プの未使用部分を測定領域に移動させる。
【００１６】
図２は、上記検出テープを室温以上の温度、具体的には３５℃で保管した場合における検出感度の経時変化を、１立方メートル当たり２０ミリグラム含む標準ガスを３０秒サンプリングして検査した場合の一例を示すものである。
図２からも明らかなように長期間に亘って感度の変化を来たすことなく常温での保存が可能となる。
【００１７】
なお、上述の実施例においては担体としてセルロースからなるシートを使用しているが、親水性処理を施した高分子シートを用いても同様の作用を奏する。この場合、高分子シートを多孔質処理して通気性を持たせた場合には、上述した装置により測定が可能であり、また多孔質処理を施さない場合には、シートの表面に被検ガスを吹きつけるなどの方法で接触させて使用することができる。
【図面の簡単な説明】
【００１８】
【図１】本発明の塩化シアン検知材をテープに整形して使用するのに適した検出装置の一例を示す図である。
【図２】本発明の検知材の保存期間と検出感度との関係を示す線図である。
【符号の説明】
【００１９】
１  ガス吸引部    ２  テ−プ    ６  測定ヘッド部    ８  発光素子    ９  受光素子    １０  被検ガスの導入口
【図１】
2008070197.tif 000002
【図２】
2008070197.tif 000003
(57)【要約】【課題】取り外しやフードの装着などの作業を要することなくセンサに校正用の標準ガスを注入することができるフィルタを提供すること。【解決手段】ガス検出器の外周に装着可能で、かつネジ部材２５により固定されるフィルタにおいて、ネジ部材２５に貫通孔２１が形成されていてネジ部材２５の露出側の先端にメクラ栓２６が着脱可能に設けられている。【選択図】  図４
2008070286.tif 000002
【特許請求の範囲】
【請求項１】
ガス検出器の外周に装着可能で、かつネジ部材により固定されるフィルタにおいて、
ネジ部材に貫通孔が形成されていて前記ネジ部材の露出側の先端にメクラ栓が着脱可能に設けられているガス検出器用フィルタ。
【請求項２】
ガス検出器の外周に装着可能で、かつネジ部材により固定されるフィルタにおいて、
ネジ部材に貫通孔が形成されていて前記ネジ部材に連通する逆止弁が設けられているガス検出器用フィルタ。
【発明の詳細な説明】
【技術分野】
【０００１】
本発明は、ガス検出器に妨害ガスが流入するのを阻止するためのフィルタに関する。
【背景技術】
【０００２】
ガス検出器は、要検出ガスだけでなく他のガスに対しても感度を有するため、妨害成分となるガスが存在する環境では吸着剤、もしくは中和剤を封入したフィルタを装着して使用されている。
【０００３】
一方、ガス検出器は、定期的に標準ガスにより校正する必要があるが、標準ガスを確実に内部のセンサに到達させるためには、装着されているフィルタを取り外すか、あるいはフィルタを装着したままその外周をフードで覆って標準ガスを供給する必要がある。
【発明の開示】
【発明が解決しようとする課題】
【０００４】
このため、フィルタを装着したガス検出器の校正にはフィルタの取り外しやフードの装着等の作業が必要となって、校正作業に手間を要するという問題がある。
本発明はこのような問題に鑑みてなされたものであって、その目的とするところは、フィルタの取り外しやフードの装着などの作業を必要とすることなく、ガス検出器に収容されているセンサに校正ガスを確実に流入させることができるガス検出器用フィルタを提供することである。
【課題を解決するための手段】
【０００５】
このような課題を達成するために請求項１の発明は、ガス検出器の外周に装着可能で、かつネジ部材により固定されるフィルタにおいて、ネジ部材に貫通孔が形成されていて前記ネジ部材の露出側の先端にメクラ栓が着脱可能に設けられている。
【０００６】
また請求項２の発明は、ガス検出器の外周に装着可能で、かつネジ部材により固定されるフィルタにおいて、ネジ部材に貫通孔が形成されていて前記ネジ部材に連通する逆止弁が設けられている。
【発明の効果】
【０００７】
請求項１の発明によれば、フィルタをガス検出器に固定しているネジ部材のメクラ栓を外してネジの貫通孔から標準ガスを注入するという簡単な作業だけで、ネジ部材の貫通孔を経由して標準ガスをガス検出器の内部に流入させて内部のセンサに標準ガスを確実、かつ迅速に供給することができる。
【０００８】
請求項２の発明によれば、標準ガスを注入すると、その圧力により逆止弁が自動的に開弁してネジ部材の貫通孔を経由して標準ガスをガス検出器の内部に流入させて内部のセンサに標準ガスを確実、かつ迅速に供給することができ、また標準ガスの流入が停止した時点では逆止弁が自動的に閉弁する。
【発明を実施するための最良の形態】
【０００９】
図１(イ)、(ロ)、及び図２(イ)、(ロ)は、本発明の一実施例を示すものであって、ガス検出器の外周を覆うように装着可能な胴部１０と底部２０とを有し、胴部１０は通気孔１１を有する外壁１２と内壁１３とを同軸状に配置して構成され、内外壁により構成された空間に妨害ガスを吸収したり、またはセンサが不可能な成分に中和する中和剤等の剤Ｆを収容できるようになっている。
【００１０】
一方、底部２０はその中心軸に貫通孔２１を有する軸２２の外周にねじ山２３を形成し、外部側に把持部２４を設けたネジ部材２５が回動可能に取り付けられている。
なお、このネジ部材２３は、フィルタを完全に固定できる位置まで締め上げた状態で内部のセンサに到達できるサイズに調整するのが好ましい。
なお、図中符号１４は、Ｏリングなどのパッキンを示す。
【００１１】
一方、上述のフィルタが装着されるガス検出器３０は、図３に示したように上面部３１にはフィルタのネジ部材２５が係合するねじ山３２を内周面に有する貫通孔３３が形成されている。
【００１２】
この実施例において、ガス検出器が設置されている環境中に妨害成分ガスが存在する場合には、妨害ガスを吸着したり、センサ３４が不感応な成分に中和する剤Ｆを収容したフィルタを装着する。
すなわち、フィルタの胴部１０をガス検出器３０に装着するとともに、ネジ部材２５をガス検出器の貫通孔３３にねじ込んで固定し、さらにネジ部材２３の後端にキャップ、もしくはプラグ等のメクラ栓２６を装着する。
【００１３】
これにより、環境の空気はフィルタを通過する際に妨害ガスが吸着剤や中和剤等の剤Ｆにより選択的に除去、もしくは不感応な成分に中和される一方、要検出ガスはセンサ３４に到達してその濃度が検出される。
【００１４】
一方、ガス検出器に収容されているセンサ３４の校正が必要となった場合には、ネジ部材２３のメクラ栓２６を外してネジ部材２５の先端から標準ガスを注入すると、ネジ部材２５の貫通孔２１を経由して標準ガスがセンサ３４に到達するから、校正が可能となる。
そして校正が終了した段階でネジ部材２５にメクラ栓２６を装着して次の測定に備える。
【００１５】
なお、上述の実施例においてはネジ部材２５の開口をメクラ栓により封止するようにしているが、図５に示したようにネジ部材２５の貫通孔２１に連通するように常時は閉弁状態を維持し、かつ標準ガスの圧力により開弁する逆止弁２７を組み込んでも良い。
これによれば、標準ガスの注入により逆止弁２７が自動的に開弁するから、メクラ栓の着脱操作が不要となる。
【図面の簡単な説明】
【００１６】
【図１】図（イ）、(ロ)は、それぞれ本発明のフィルタの一実施例を、表裏から見た状態で示す斜視図である。
【図２】図(イ)、(ロ)は、それぞれ同上フィルタの上面図と、線Ａ−Ａでの断面構造を示す図である。
【図３】本発明のフィルタが装着されるガス検出器の一例を示す図である。
【図４】本発明のフィルタをガス検出器に装着した状態を示す図である。
【図５】ネジ部材の他の実施例を示す断面図である。
【符号の説明】
【００１７】
１０  胴部    １１  通気孔    １２  外壁    １３  内壁    ２０  底部    ２１  貫通孔    ２２  軸    ２３  ねじ山    ２４  把持部    ２５  ネジ部材    ２６  メクラ栓    ３０  ガス検出器    ３１  上面部    ３２  ねじ山    ３３  貫通孔    ３４  センサ    Ｆ  剤
【図１】
2008070286.tif 000003
【図２】
2008070286.tif 000004
【図３】
2008070286.tif 000005
【図４】
2008070286.tif 000006
【図５】
2008070286.tif 000007
(57)【要約】      （修正有）【課題】常温において溶剤を揮発させず、短時間において発泡スチロールを溶解する事ができ、なお溶解後の発泡スチロールは再資源化する事が問題で、溶解液も回収後再利用できる発泡スチロール廃材の環境、及び経済性優れる使用済発泡スチロールの溶解処理方法、及び使用済発泡スチロールの溶解液を提供する。【解決手段】廃発泡スチロールを安全に短時間で減容させ、ポリスチレンに再生可能な原材料として回収でき、又、減容液自体も再生できる。【選択図】なし【特許請求の範囲】
【請求項１】
発泡スチロールに対する溶解作用を有せず減容でき、不燃性で再生利用できる溶剤である。
【請求項２】
発泡スチロール溶解剤としてメチレンクロライドを用いる請求項１に記載の発泡スチロール減容剤。
【請求項３】
発泡スチロール溶解剤として、メタノールを用いる請求項１に記載の、発泡スチロール減容剤。
【請求項４】
発泡スチロールを溶解しないが、揮発性を防ぐ為水を用いる請求項１にきさいの発泡スチロール溶剤。
【請求項５】
請求項１の発泡スチロール減容剤を接触させる事からなる、ポリスチレン原材料として、再使用可能なポリスチレンを得る方法。
【請求項６】
請求項１の発泡スチロール減容剤を接触させる事からなる、再生燃料を得る方法
【発明の詳細な説明】
【技術分野】
【０００１】  本願発明は、常温において溶剤を揮発させず、短時間において発泡スチロールを溶解する事ができ、なお溶解後の発泡スチロールは再資源化する事が問題で、溶解液も回収後再利用できる発泡スチロール廃材の環境、及び経済性優れる使用済発泡スチロールの溶解処理方法、及び使用済発泡スチロールの溶解液に関する発明である。
【背景技術】
【０００２】  スチレンモノマーをラジカル重合して製造された発泡スチロールの需要は、近年増加の一途をたどっている。旧来の電化製品等の梱包材には、発泡スチロールの形成体が使用される事が多い。
その他、食品保温用容器としても広く用いられている。
近年は、建設資材としても大量に使用されている。
一般家庭から排出される廃材も相当な量となっている為、使用済発泡スチロールの効率の良い処理方法が問題となっている。
プラスチック廃材は、燃やせば有毒なガスや黒煙を発生し、環境問題を引き起し、又土中に埋めても分解しない。
特に、発泡スチロールは、軽く容積が大きく極めて処理が困難である。【０００３】  流通業界においては、まとまった量の発泡スチロール廃材が排出されている事から、発泡スチロール廃材の減容処理及び再資源化処理が実施されている。又、一般家庭から排出される発泡スチロール廃材についても、処理システムが構築されつつある。【０００４】  回収及び再資源化するに当り、単位重量当たりの容積が、非常に大きいことから、廃材の減容化なしに回収は困難である。
従来の処理は、廃材を裁断し、これを加熱溶融して、減容固化し、再ペレット化して回収する方法である。【０００５】  従来これらの方法によって回収される廃プラスチックは、熱による劣化等により、再利用するにあたって品質上の問題が発生したり、回収利用取得物の利用方法に問題がある。発泡体の為に、見かけ比重が著しく小さく、運搬にそのままでは費用が掛かり過ぎるなど、必ずしも最善の方法ではない。
【課題】
【０００６】  そこで、発泡スチロールに対して、良好な熔解性を示す溶剤を用い、発生場所に於いて発泡スチロールを熔解して、体積を収縮した後、運搬し、蒸留分離プラントで、ポリスチレンの熱劣化を抑えるために、低温、短時間で溶剤を分離回収する方法が考えられる。
【０００７】  本出題は、かかる現状に鑑み、創案されたものであって、その目的とするところは、再生して、再使用可能な溶剤により、溶剤減容処理して、安価に再生ポリスチレンに再資源化する、発泡スチロール溶剤、及び、発泡スチロールリサイクルシステムを、提供する事にある。
【課題を解決する為の手段】
【０００８】  本発明において、請求項１に係る発泡スチロール溶解剤は、メチレンクロライド３３．６％〜５９．７％、メタノール２５．６％〜６２．８％、水３．５％〜１８．２％を少なくとも含む溶剤であることを特徴とする。
【０００９】  本溶剤は、廃発泡スチロールを常温において溶解することを特徴とする。
【発明実施の形態構成】
【００１０】  以下に本発明の実施の形態を具体的に説明する。
この実施の形態における発泡スチロール減容システムは、発泡スチロールを常温で溶解剤に接触させ、１／５０に減容する。
又、減容されたものを、スチレン樹脂に再生するものである。
【００１１】  この溶解剤は、再生する事により、およそ９０％の再生率で回収する事ができ、高い再生利用率で利用できる。
【効果】
【００１２】  この実施における、発泡スチロール減容方法によって、廃発泡スチロール発生現場で１／３０〜１／１００に短時間で減容する事ができ、スチレン樹脂として再生できる。
資源を１００％有効利用でき、運搬等に発生するＣＯ２の減少は大である。
【００１３】  装置設置場所が限定されず、又、設置場所も従来に対し非常に少なくてすむ。
【００１４】  従来では、償却されたり埋設されたり熱処理し、インゴット化する方法が主であったが、熱処理された廃発泡スチロールは、劣化しており、再生に不向きである為に、本発明が再生化の利用効率を向上させる。
【００１５】  マテリアルリサイクルとして、産業界ならず家庭内や学校、自治体、及び建設現場に適したシステムを実現する事ができる。
【００１６】  従来、難燃材入りの発泡ウレタンホームの処理も、本減容材にて可能とした。
【利用分野】
【技術分野】  本発明は、発泡スチロールの溶剤にて、発泡スチロールを分解処理し、スチロール原材料として、再利用を可能にした発泡スチロール減容剤及びスチロール再生システムに関する。
(57)【要約】【課題】  工事現場で働く際或いはバイク、オートバイなど自動二輪車で走行する際に安全性確保のため、ヘルメットの着用が義務づけられているが６〜９月の夏期でのヘルメット着用時には耐え難いむし暑さに苛まれる。これを軽減するための冷却式ヘルメットが求められている。【解決手段】  水素結合能力、熱容量が大きく、保冷能力の大きい水溶性高分子、多価アルコール、水から成る保冷剤を包含する冷却用キャップをマジックテープをヘルメットの内面に固着することによって、夏期のヘルメット着用時の耐え難い暑さを大幅に軽減する。【選択図】図１
2008297694.tif 000002
【特許請求の範囲】
【請求項１】
ヘルメットの頭部を保護する外殻の内面に保冷剤を包含し、可撓性のあるキャップをマジックテープで固着させた冷却式ヘルメット。
【請求項２】
冷却剤は水溶性高分子と多価亜アルコールと水から成ることを特徴とする請求項１記載の冷却式ヘルメット。
【発明の詳細な説明】
【技術分野】
【０００１】  工事現場で働く際或いはバイク、オートバイなど自動二輪車で走行する際に安全確保のため、ヘルメットの着用が義務づけられているが、６〜９月の夏季でのヘルメット着用時には耐え難い暑さに苛まれる。これを軽減するための冷却式ヘルメットに関するものである。
【背景技術】
【０００２】  建設工事、電気工事などの工事現場において、作業者は安全性確保の観点からヘルメットの着用を義務づけられており、バイク、オートバイなどの自動二輪車で走行する際にも安全性確保のためにヘルメットの着用が義務づけられている。
【発明が解決っしようとする課題】
【０００３】  ６〜９月の夏季にヘルメットを着用する際には、外気が高温なため、ヘルメットを着用している頭部は耐え難いむし暑さに苛まれることになる。
【課題を解決するための手段】
【０００４】  本発明は冷凍室に入れることによって繰り返し使用することのできる保冷剤（アイスノン）包含キャップをヘルメットの内面にマジックテープで固着させて、夏季のヘルメット着用時のむし暑さを軽減できる冷却式ヘルメットを提供するものである。
保冷剤包含キャップは使用後、冷蔵庫の冷凍室に入れておけば、次回使用の際に再度ヘルメット内面にマジックテープで固着させ、繰り返し使用することが可能である。（使い捨てではない、）。
【発明の効果】
【０００５】  本発明は水素結合能力が大きく、熱容量の大きい、保冷能力の大きい水溶性高分子、多価アルコール、水から成る保冷剤を包含する冷却用キャップをマジックテープによりヘルメットの内面に固着させることによって，夏期のヘルメット着用時の耐え難いむし暑さを軽減する。
３、
ポリビニルアルコール  ２０重量部
グリセリン            ４０  〃
水                    ４０  〃    
１００  〃
【図１】
2008297694.tif 000003
【手続補正書】
【提出日】平成20年9月22日(2008.9.22)
【手続補正１】
【補正対象書類名】明細書
【補正対象項目名】全文
【補正方法】変更
【補正の内容】
【発明の詳細な説明】
【技術分野】
【０００１】  工事現場で働く際或いはバイク、オートバイなど自動二輪車で走行する際に安全確保のため、ヘルメットの着用が義務づけられているが、６〜９月の夏季でのヘルメット着用時には耐え難い暑さに苛まれる。これを軽減するための冷却式ヘルメットに関するものである。
【背景技術】
【０００２】  建設工事、電気工事などの工事現場において、作業者は安全性確保の観点からヘルメットの着用を義務づけられており、バイク、オートバイなどの自動二輪車で走行する際にも安全性確保のためにヘルメットの着用が義務づけられている。
【発明が解決しようとする課題】
【０００３】  ６〜９月の夏季にヘルメットを着用する際には、外気が高温なため、ヘルメットを着用している頭部は耐え難いむし暑さに苛まれることになる。
【課題を解決するための手段】
【０００４】  本発明は冷凍室に入れることによって繰り返し使用することのできる保冷剤（アイスノン）包含キャップをヘルメットの内面にマジックテープで固着させて、夏季のヘルメット着用時のむし暑さを軽減できる冷却式ヘルメットを提供するものである。
保冷剤包含キャップは使用後、冷蔵庫の冷凍室に入れておけば、次回使用の際に再度ヘルメット内面にマジックテープで固着させ、繰り返し使用することが可能である。（使い捨てではない、）。
【発明の効果】
【０００５】  本発明は水素結合能力が大きく、熱容量の大きい、保冷能力の大きい水溶性高分子、多価アルコール、水から成る保冷剤を包含する冷却用キャップをマジックテープによりヘルメットの内面に固着させることによって，夏期のヘルメット着用時の耐え難いむし暑さを軽減する。
【保冷剤として使用する物質の特性】
【０００６】  本発明の冷却剤は水溶性高分子、多価アルコールと水から成ることを特徴とし、これらはいずれも水素結合能力の高い物質である。
そもそも保冷効果は物質の熱容量が大きい程大きくなるが、熱容量の大小は物質を構成する分子間の引力、分子間力によって決まる。分子間力にはイオン間結合力（静電気力）、水素結合力、ファンデルワールス力があり、その強さはイオン間結合力＞水素結合力＞ファンデルワールス力の順になる。物質が水に溶解  するのは水と水素結合を作ることによる。水と水素結合を作ることのできない炭化水素、（ガソリン、灯油蝋、ワックスなどは水に溶解せず、熱容量は小さい。イオン化しない物質では水素結合の大小が保冷効果に影響する。
水溶性高分子〈ゼラチン、ツエイン、アルギン酸ナトリウム、ポリアクリル酸ナトリウム，ポリビニルアルコール〉、多価アルコール、〈グリコール、グリセリン〉は水酸基（ＯＨ基）を持ち、水と水素結合することにより水に溶解或いは混合することができる。
水溶性高分子、多価アルコール、水は水素結合能力があるため、ファンデルワールス力しか働かない物質に比べて加熱、冷却に際して多くの熱エネルギーを必要とし、一旦冷却された水溶性高分子，、多価アルコール、水を常温に戻すには長時間を要する。ということは、これらの物質は保冷効果が大きく、これが本発明でこれらの物質を保冷剤として採用する理由である。
【実施例】保冷剤として使用する物質としては次のようなものが使用可能である。
１．水溶性高分子
ゼラチン、ツエイン，アルギン酸ナトリウム、ポリアクリル酸ナトリウム、カルボキ    シメチルセルローズ、メチルセルローズ、ポリビニルアルコール。
２．多価アルコール
エチレングリコール，プロピレングリコール、グリセリン。
３．水
本発明の保冷剤の配合例
１．
2008297694.tif 000004
２．
2008297694.tif 000005
３、
2008297694.tif 000006
【図面の簡単な説明】
【０００７】
【図１】本発明の冷却剤包含キャップの見取り図
【符号の説明】
【０００８】１−−−−冷却剤包含キャップ
２−−−−マジックテープ